(57)【要約】【課題】  全てのコンタクトに対して同等の接触力が得られ、コネクタ構造を変更することなしにインピーダンスを可変性制御することができるコネクタを提供する。【解決手段】  コネクタ１００において、ハウジング１１に保持されたコンタクト１４と、流体が封入された弾性変形自在な収容部材１と、前記収容部材１を押圧して弾性変形させる押圧部材１０とを備えている。収容部材１はコンタクトの接触部１４ａを押圧し弾性変形させる操作部を有し、相手側コネクタ１１０を嵌合した際、押圧部材１０が前記収容部材１を押圧することにより、前記収容部材１が弾性変形し、前記操作部が前記接触部１４ａを押圧して変位させ、相手側コネクタ１１０と接続するようにした。【選択図】      図１
2006252793.tif 000002
【特許請求の範囲】
【請求項１】
コネクタにおいて、前記コネクタは、コンタクトと、前記コンタクトを保持するハウジングと、流体が封入された弾性変形自在な収容部材と、前記収容部材を押圧して弾性変形させる押圧部材とを備え、前記コンタクトの接触部を押圧し弾性変形させる操作部を有し、相手側コネクタを嵌合した際、前記押圧部材が前記収容部材を押圧することにより、前記収容部材が弾性変形し、前記操作部が前記接触部を押圧して変位させ、相手側コネクタと接続するようにしたことを特徴とするコネクタ。
【請求項２】
請求項１に記載のコネクタにおいて、前記押圧部材はコネクタに摺動自在に保持されたことを特徴とするコネクタ。
【請求項３】
請求項１に記載のコネクタにおいて、前記押圧部材は前記相手側コネクタと一体形成されたことを特徴とするコネクタ。
【請求項４】
請求項１に記載のコネクタにおいて、前記収容部材内の封入する流体により、特性インピーダンスの調整を行うようにしたことを特徴とするコネクタ。
【請求項５】
請求項１乃至４の内のいずれか一つに記載のコネクタにおいて、前記流体は気体及び液体の内の少なくとも一種からなることを特徴とするコネクタ。
【請求項６】
請求項１乃至５の内のいずれか一つに記載のコネクタにおいて、前記収容部は弾性変形可能な容器を備えていることを特徴とするコネクタ。
【発明の詳細な説明】
【技術分野】
【０００１】
本発明は、主にコネクタの嵌合部についてであり、インピーダンスが調整可能で且つ流体の体積変化を利用して接触力を得る構造を備えたインピーダンス調整コンプレッションコネクタに関する。
【背景技術】
【０００２】
従来、カードエッシコネクタは、バネ性のあるコンタクトでプリント基板を挟み込む形態をとっており、プリント基板を挿入する際に、その端面でコンタクトを傷つけるため、磨耗に対する対策を考慮しなければならなかった。
【０００３】
このような課題を解決するために、流体の体積変化に基づいて接触力を得るコネクタが、特許文献１及び特許文献２に夫々提案されている。
【０００４】
図８及び９は特許文献１に開示されたコネクタの動作説明に供せられる断面図で、図８は接続の状態、図９は接続時の状態を夫々している。
【０００５】
図８を参照すると、ハウジング６６内の一対のソケットコンタクト６１の両端もしくは内側にチューブ６４が設けられている。
【０００６】
図９に示すように、相手側コンタクト６２が挿入された際に、チューブ６４内部の流体圧力を加えることによって、ソケットコンタクト６１を閉成することで、接触力を得ている。一方、図９に示すチューブ６４内部の圧力を減じるとソケットコンタクト６１が開成して、相手側コンタクト６２との接続を解除することができる。
【０００７】
図１０は特許文献２に示すコンタクトの部分断面斜視図である。図１０を参照すると、コネクタは、接触力を発生する液体７６の流路を有するコネクタハウジング７１に接触方向に対し可動するフローティングコンタクト７３がプリント基板７５の挿入間隔を隔て内蔵されている。ベローズ管７４はプリント基板７５挿入または抜き取りの際に、プリント基板７５のボス７９がレバー８に当接して下方又は上方に移動させることでバネ１０によって閉成方向に付勢された減圧弁１１のバネ１０力に抗して開放して流路７２を満たす液体７６の液圧により減小によって縮小して、フローティングコンタクト７３の間を押し広げ、プリント基板７５の端に設けられた導体パッド７７に接触せずもしくは接触から開放され、電気的に切断された状態となる。一方、挿入された後、レバー７８が元の位置に戻ると、バネ８０によって減圧弁７１が閉成して、流路７２を満たす液体の圧力を増大させることで、ベローズ管７４は、伸長して全フローティングコンタクト７３を均一な力で駆動して、プリント基板７５の端に設けられた導体パッド７７に接触することで電気的接続が行われる。
【０００８】
しかしながら、このような従来の構造においては、流体圧を増加させる機構が複雑であり、したがって操作性やコストの問題があった。また、インピーダンスを変化させることは困難であった。
【０００９】
【特許文献１】特開平５−２９０９３３号公報
【特許文献２】特開平８−３１５２３２号公報
【発明の開示】
【発明が解決しようとする課題】
【００１０】
本発明の一技術的課題は、摩耗に対する耐性を高めたコンタクトを備えたコネクタを提供することにある。
【００１１】
また、本発明のもう一つの技術的課題は、全てのコンタクトに対して同等の接触力が得られるコネクタを提供することにある。
【００１２】
さらに、本発明のもう一つの技術的課題は、コネクタ構造を変更することなしにインピーダンスを可変性制御することができるコネクタを提供することにある。
【課題を解決するための手段】
【００１３】
本発明によれば、コネクタにおいて、前記コネクタは、コンタクトと、前記コンタクトを保持するハウジングと、流体が封入された弾性変形自在な収容部材と、前記収容部材を押圧して弾性変形させる押圧部材とを備え、前記コンタクトの接触部を押圧し弾性変形させる操作部を有し、相手側コネクタを嵌合した際、前記押圧部材が前記収容部材を押圧することにより、前記収容部材が弾性変形し、前記操作部が前記接触部を押圧して変位させ、相手側コネクタと接続するようにしたことを特徴とするコネクタが得られる。
【００１４】
また、本発明によれば、前記コネクタにおいて、前記押圧部材はコネクタに摺動自在に保持されたことを特徴とするコネクタが得られる。
【００１５】
また、本発明によれば、前記コネクタにおいて、前記押圧部材は前記相手側コネクタと一体形成されたことを特徴とするコネクタが得られる。
【００１６】
また、本発明によれば、前記コネクタにおいて、前記収容部材内の封入する気体・液体等により、特性インピーダンスの調整を行うようにしたことを特徴とするコネクタが得られる。
【００１７】
また、本発明によれば、前記いずれか一つのコネクタにおいて、前記流体は気体及び液体の内の少なくとも一種からなることを特徴とするコネクタが得られる。
【００１８】
さらに、本発明によれば、前記いずれか一つに記載のコネクタにおいて、前記収容部は弾性変形可能な容器を備えていることを特徴とするコネクタが得られる。
【発明の効果】
【００１９】
本発明によれば、プリント基板挿人後にコンタクトが移動し、接触するために磨耗に対する耐性を強くすることかできる。又、コンタクトを複雑なバネ構造にする必要もない。
【００２０】
また、本発明によれば、変形可能な容器に入れる材料（又は空気）を変更することにより、コネクタ構造を変更することなしに、インピーダンスを可変制御することか出来る。
【００２１】
また、本発明によれば、変形可能な容器は、空間に対して均一に広がるため、全てのコンタクトに対して同じ接触力が得られる効果がある。
【発明を実施するための最良の形態】
【００２２】
以下、本発明の実施の形態について図面を参照しながら説明する。
【００２３】
図１は本発明の実施の形態によるコネクタを示す斜視図である。図２は図１のコネクタの押し当て治具を示す斜視図である。図３及び図４は、図２の押し当て治具の動作説明に供せられる断面図である。
【００２４】
図１に示されるコネクタは、カードエッジタイプコネクタと呼ばれ、第１の実施の形態では、本発明をこのタイプのコネクタに適用した例について説明する。
【００２５】
図１を参照すると、コネクタ１００は、絶縁性のハウジング１１と、ハウジング１１に設けられた空間からなるコネクタ収容部１３と、コンタクト１４と、ハウジング１１の上部と後側に設けられた断面Ｌ字形状の収容空間５と、収容空間５内に収容された収容部材としての容器１と、櫛歯形状の押し当て治具１０とを備えている。容器１はシリコン系のゴムからなり、中に流体が充填される。この流体としては、空気、窒素ガス、アンモニア等の気体や、水、油等の液体を用いることができる。
【００２６】
コンタクト収容部１３は正面側に相手側コネクタ１１０と嵌合するための開口１２を備えている。コンタクト１４は、細長い金属製でＳ字形状を有し、収容部１３の空間の天井部１６に沿って設けられており、先端部前方から、さらに、前端部に下方に突出した突起１４ｄを備えた接触部１４ａと、接触部１４ａの後端から、収容部１３の後端壁１５に沿ってＬ字形状に屈曲し、下方に延在する支持部１４ｂと、支持部１４ｂの下端から後方に延びてハウジング１１から露出して延びる端子部１４ｃとを備えている。
【００２７】
図２を参照すると、押し当て治具１０は櫛歯状の突出部１０ａと、それらの一端を結ぶ結合部１０ｃとを備えている。
【００２８】
図１を再び参照すると、ハウジング１１のコネクタ収容部１３内の後端で、幅方向に間隔を置いて並んだコンタクト１４の間には、図示しない摺動穴が夫々並んで設けられている。この穴に、押圧部材としての押し当て治具１０の櫛歯形状の各突出部１０ａが後側から挿入されている。図２に示す押し当て治具１０は、同じ治具１０を２段に重ね合わせて収容されるが、押圧力に応じて一段でもよく、また、高さ寸法（厚み）を厚くすることができる。
【００２９】
相手側コンタクト１１０は、基板からなり、絶縁性の本体５１先端部の上下部の角辺に面取り５１ａ，５１ｂが施されており、また、上面には、細長い板状のコンタクト５２が幅方向に、間隔をおいて並んで設けられている。なお、両側の円柱状の突起５３は、ハウジング１１の収容部と嵌合する突起５３であり、これによって、ハウジング１１のコネクタ収容部１３内に相手側コネクタとしての基板１１０が保持される。
【００３０】
図３を参照すると、押し当て治具１０は、相手側コネクタとの嵌合前においては、容器１内の空気圧によって、結合部１０ｃが右方に押されて収容部１３内に突出部１０ａが突出した状態となっている。図４に示すように、相手側コネクタに突出部１０ａが押されると、押し当て治具１０は、容器１の収容空間５の奥行き分だけ水平方向（左側）に摺動移動させることができる。
【００３１】
次に、本発明の実施の形態によるコネクタの動作を図５乃至図７を参照しながら説明する。
【００３２】
図５は図１のコネクタの相手側コネクタとの嵌合前の状態を示す断面図である。図６は図５のコネクタのコネクタ収容空間の下方から眺めたＡ方向矢示図である。図７は図１のコネクタの嵌合後の状態を示す断面図である。
【００３３】
図５の状態から、相手側コネクタが嵌合されると、相手側コネクタである基板１１０（図１参照）が挿入されることにより、図７に示すように、押し当て冶具１０が水平方向に押され、収容空間５にあった変形可能な容器１に入った液体、又は気体からなる流体を押しつぶし、一方、ハウジング１１の天井部１６の上に収容されていた容器１の部分が膨らみ、操作部としてコンタクト接触部１４ａに鉛直方向に力が働く。
【００３４】
図６に示すように、ハウジング１１の天井部１６は、先端部分１６ａに穴が開き、コンタクト接触部１４ａか剥き出しになっている。
【００３５】
したがって、図７に示すように、容器１からの力によって、コンタクト接触部１４ａを鉛直方向に押す力が得られ、コンタクト接触部１４ａが下方に押し下げられ、基板１１０のコンタクト５１にコンタクト接触部１４ａが導通することになる。
【００３６】
上記の説明では、押し当て冶具１０が変形可能な容器を押し潰している（１アクション）が、基板１０挿入とコンタクト接線部１４ａが鉛直方向に移動するタイミングをずらすために、押し当て冶具１０が駆動系となり、別の部品で変形可能な容器１を押し潰す（２アクション以上）構造も考えられる。
【００３７】
ここで、本発明の実施の形態によるコネクタが、容易にインピーダンスが変更できることについて具体的に説明する。
【００３８】
特性インピーダンスを変化させる要因として、コンタクト１４の板幅、コンタクト１４とグランドの距離、コンタクト周辺の材料の誘電率等がある。本発明の実施の形態では、変形可能な容器１に入れる材料を選択することにより、他のコネクタ構造を変更することなしに特性インピーダンスを変更することが出来る。
【００３９】
具体例について説明すると、変形可能な容器１に水（比誘電率１）を入れた場合の特性インピーダンスを５０Ωとなるように設計したコネクタの場合、変形可能な容器１に、水の代わりにアンモニア（比誘電率２２）を入れると（他の構造は変更しない）特性インピーダンスは約４０Ωとすることが出来、容易にインピーダンスを変更することができた。
【００４０】
以上説明したように、本発明においては、変形可能な容器１に液体、気体を入れ、その体積を利用してコンタクトを接続させる力を得る構造、及び変形可能な容器に入れる材料の違いにより、コネクタ構造を変更することなしに容易にインピーダンスを変更する事が出来る。
【産業上の利用可能性】
【００４１】
本発明に係るコネクタは、基板間や電子機器間を接続する電気コネクタに適用される。
【図面の簡単な説明】
【００４２】
【図１】本発明の実施の形態によるコネクタを示す斜視図である。
【図２】図１のコネクタの押し当て治具を示す斜視図である。
【図３】図２の押し当て治具の動作説明に供せられる断面図である。
【図４】図２の押し当て治具の動作説明に供せられる断面図である。
【図５】図１のコネクタの相手側コネクタとの嵌合前の状態を示す断面図である。
【図６】図５のコネクタのコネクタ収容空間の下方から眺めたＡ方向矢示図である。
【図７】図１のコネクタの嵌合後の状態を示す断面図である。
【図８】特許文献１に開示されたコネクタの動作説明に供せられる断面図で、接続の状態を示している。
【図９】特許文献１に開示されたコネクタの動作説明に供せられる断面図で、接続時の状態を夫々している。
【図１０】特許文献２に示すコンタクトの部分断面斜視図である。
【符号の説明】
【００４３】
１    容器
５    収容空間
１０    押し当て治具
１０ａ    突出部
１０ｃ    結合部
１１    ハウジング
１２    開口
１３    コネクタ収容部
１４    コンタクト
１４ａ    接触部
１４ｂ    支持部
１４ｃ    端子部
１４ｄ    突起
１５    後端壁
１６    天井部
１６ａ    先端部分
５１    本体
５１ａ，５１ｂ    面取り
５２    コンタクト
５３    突起
６１    ソケットコンタクト
６２    相手側コンタクト
６４    チューブ
６６    ハウジング
７１    コネクタハウジング
７２    流路
７３    フローティングコンタクト
７４    ベローズ管
７５    プリント基板
７６    液体
７７    導体パッド
７８    レバー
７９    ボス
８０    バネ
８１    減圧弁
１００    コネクタ
１１０    相手側コネクタ
【図１】
2006252793.tif 000003
【図２】
2006252793.tif 000004
【図３】
2006252793.tif 000005
【図４】
2006252793.tif 000006
【図５】
2006252793.tif 000007
【図６】
2006252793.tif 000008
【図７】
2006252793.tif 000009
【図８】
2006252793.tif 000010
【図９】
2006252793.tif 000011
【図１０】
2006252793.tif 000012